(57)【要約】      （修正有）【課題】納骨堂の左右に空間部を有する墓において、耐震性が高い構造を備えた墓を提供する。【解決手段】基礎の上に外柵と石碑を備え、外柵は納骨堂Ａ２を含み、石碑は納骨堂の上部に設置され、納骨堂の左右に空間部Ａ１を有し、空間部の上面が覆われて閉塞されている構造であって、鉄筋５０又は鉄鎖の一端が空間部を形成する左右前後の内壁面３１、３３の一面に直交するように固定され、他端がこの一面と対面する面３２、３４に直交するように固定されている。さらに、鉄筋又は鉄鎖の一端が納骨堂を形成する左右前後の内壁面３２、４１の一面に直交するように固定され、他端がこの一面と対面する面に直交するように固定されていてもよい。【選択図】図５
0003191114.tif 000002
【実用新案登録請求の範囲】
【請求項１】
基礎の上に外柵と石碑を備え、該外柵は納骨堂を含み、前記石碑は前記納骨堂の上部に設置され、前記納骨堂の左右に空間部を有し、該空間部の上面が覆われて閉塞されている構造の墓であって、
鉄筋又は鉄鎖の一端が前記空間部を形成する左右前後の内壁面の一面に直交するように固定され、他端が前記一面と対面する面に直交するように固定されていることを特徴とする墓。
【請求項２】
請求項１に記載の墓において、鉄筋又は鉄鎖の一端が前記納骨堂を形成する左右前後の内壁面の一面に直交するように固定され、他端が前記一面と対面する面に直交するように固定されていることを特徴とする墓。
【考案の詳細な説明】
【技術分野】
【０００１】
本考案は、外柵と石碑を備えた墓に関し、石碑下方に納骨堂を備え、納骨堂の左右に空間部を有した墓に関する。
【背景技術】
【０００２】
一般に墓は、隣との墓域の境界をはっきりさせ、土台部分を補強する外柵が設けられていることが多い。外柵は墓全体を囲む石組みであり、複数の部位からなり、遺骨が収納される納骨堂（納骨室）を含んでいる。納骨堂の上部には石碑が設置され、石碑は、下から芝台、中台、上台、竿石（墓石）が順に重なって構成されている。芝台は、納骨堂の上面を閉塞して保護し、また、花立てなどの置き台にもなっている。
【０００３】
芝台は重量のある墓石等を支えるため、ある程度の面積を有するが、左右の壁である外柵（以降、左右の外柵）から離間して、中央に設置されることが多い。なぜなら、墓には石碑以外にも戒名や死亡年月日や享年などを刻む墓誌や墓前灯篭なども配置され、これらを外柵内にバランスよく配置させるためである。そのため、芝台の下にある納骨堂の左右の側壁と左右の外柵との間に空間部が形成される。この左右の空間部は２枚の敷石で覆われ、上面が閉塞されており、外側からは視認できない空間部である。空間部内にはコンクリートを打設したり、土や石を敷き詰めたりする場合もある。
【０００４】
納骨堂の空間に加え、その左右に空間部が形成されていることにより、墓全体の耐震強度が低下している。例えば、納骨堂に対して左右に揺れるような地震が起きた場合には、高さと重量のある石碑が揺らされ、石碑が配置されている芝台を支える納骨堂の側壁に振動が加わる。このとき、納骨堂の左右に空間部があることによって、納骨堂の側壁が倒れやすくなり、墓全体が倒壊する危険もある。そのため、墓の耐震強度を高める技術が必要とされている。
【０００５】
特許文献１には、納骨堂の左右の空間部に、補強用石材が積層固定された墓の下部構造が開示されている。それにより、外柵、側壁の厚さが増加されて構造体力が強化され、墓の耐震強度を高めることができるとされている。
【先行技術文献】
【特許文献】
【０００６】
【特許文献１】実用新案登録第３１６０２７２号公報
【考案の概要】
【考案が解決しようとする課題】
【０００７】
上記の特許文献１に開示されている墓は、納骨堂の左右の空間部に、補強用石材が積層固定されているため、ある程度の地震に対しては耐震強度を有する。しかし、例えば震度６以上の大きな横揺れの振動がある場合、納骨堂の左右の空間部にある補強用石材自体の重みによる力が横方向に働き、その力が納骨堂の左右の側壁に加わり、石碑を支える納骨堂の側壁に振動が加わり、墓全体が倒壊することもあり得る。
【０００８】
本考案の目的は、上記課題に鑑み、納骨堂の左右に空間部を有する墓において、耐震性が高い構造を備えた墓を提供することである。
【課題を解決するための手段】
【０００９】
本考案の１は、基礎の上に外柵と石碑を備え、該外柵は納骨堂を含み、前記石碑は前記納骨堂の上部に設置され、前記納骨堂の左右に空間部を有し、該空間部の上面が覆われて閉塞されている構造の墓であって、
鉄筋又は鉄鎖の一端が前記空間部を形成する左右前後の内壁面の一面に直交するように固定され、他端が前記一面と対面する面に直交するように固定されることを特徴とする墓である。
【００１０】
本考案の２は、本考案の１に記載の墓において、鉄筋又は鉄鎖の一端が前記納骨堂を形成する左右前後の内壁面の一面に直交するように固定され、他端が前記一面と対面する面に直交するように固定されることを特徴とする墓である。
【考案の効果】
【００１１】
本考案の１の墓によれば、鉄筋の一端が納骨堂の左右の空間部を形成する内壁面の一面に直交するように固定され、他端がその一面と対面する面に直交するように固定されているため、空間部分は有するものの、鉄筋がそれらの面をつなぎ、強固に支えることで、耐震強度を高めることができる。また、空間部にコンクリートを打設する場合には、鉄筋は地中梁のような効果を奏する。また、鉄筋の代わりに鉄鎖を使用すると、納骨堂の左右の空間部の大きさに合った長さの鉄鎖を容易に調節できる。鉄鎖の一端を空間部の内壁面の一面に固定し、他端をその一面と対面する面に固定することで、対向する面の間に張力が働き、それらの面の間隔が広がらないように固定することができ、耐震強度を高めることができる。
【００１２】
本考案の２の墓によれば、鉄筋の一端が納骨堂の空間部を形成する内壁面の一面に直交するように固定され、他端がその一面と対面する面に直交するように固定されているため、空間部分は有するものの、鉄筋がそれらの面をつなぎ、強固に支えることで、耐震強度を高めることができる。また、鉄筋の代わりに鉄鎖を使用すると、納骨堂の空間部の大きさに合った長さの鉄鎖を容易に調節できる。鉄鎖の一端を空間部の内壁面の一面に固定し、他端をその一面と対面する面に固定することで、互いの面の間に張力が働き、それらの面の間隔が広がらないように固定することができ、耐震強度を高めることができる。
【図面の簡単な説明】
【００１３】
【図１】本考案に係る墓の斜視図である。
【図２】図１に示す墓の平面図である。
【図３】従来の墓の下部構造を示す斜視図である。
【図４】図３に示す墓の下部構造の平面図である。
【図５】本考案の第１の実施例である墓の下部構造を示す斜視図である。
【図６】図５に示す墓の下部構造の平面図である。
【図７】内壁面に固定された鉄鎖を示す説明図である。
【図８】本考案の第２の実施例である墓の下部構造を示す平面図である。
【図９】本考案の第３の実施例である墓の下部構造を示す平面図である。
【考案を実施するための形態】
【００１４】
以下、本考案の実施の形態（以下実施例と記す）を、図面に基づいて説明する。なお、以下の図において、共通する部分には同一の符号を付しており、同一符号の部分に対して重複した説明を省略する。
【００１５】
本考案に係る墓の構成を図１と図２を用いて説明する。図１は、外柵が設けられている本考案に係る墓の斜視図であり、図２は図１に示す墓の平面図である。図１に示す墓１は、地中の基礎３０の上に外柵が設けられているタイプの墓である。基礎３０は、地中に構成されているため外からは視認できないが、墓１の耐震構造で重要であり、長方形状になるように組まれて打設され、地中梁とコンクリート等で構成されている。
【００１６】
外柵は墓全体を囲む石組みであり、複数の部位からなる。具体的には、前外柵（フロア）２２と左右の外柵３と、後外柵２３から構成され、下部には遺骨が収納される納骨堂を備えている。また、前外柵２２の左右前面には親柱４が配置されている。納骨堂の上部の開閉部には拝石２０が配置され、納骨堂の蓋の役割をしており、香炉７の置台にもなっている。石碑１０は、下から芝台１４、中台１３、上台１２、竿石（墓石）１１が順に重なって構成されている。芝台１４は、納骨堂の上面を閉塞して保護し、花立て８などの置台にもなっている。
【００１７】
また、外柵内には、石碑１０以外にも戒名や死亡年月日や享年などを刻む墓誌６や親柱４上の灯篭５、塔婆立９、他の石碑２、芝台１４の左右に敷かれる敷石２１が配置されている。塔婆立９は後外柵２３に配置され得る。本考案に係る墓の構成は、これに限定されず、地蔵尊や五重の塔等の燈籠や、置石等を配置して構成してもよい。
【００１８】
芝台１４は重量のある墓石１１等を支えるため、ある程度の面積を有するが、上記墓誌６や他の石碑２などを、バランスよく配置するため、左右の外柵３から離間して設置される場合が多い。そのため、芝台１４の下にある納骨堂の左右の側壁と左右の外柵３との間に空間が形成される。この左右の空間は２枚の敷石２１で覆われ、上面が閉塞されている。
【００１９】
このような墓の下部構造を図３と図４を用いて説明する。図３は、従来の墓の下部構造を示す斜視図であり、図４は、従来の墓の下部構造を示す平面図である。図３と図４に示すように、納骨堂Ａ２は芝台１４や拝石２０で蓋をされている部分であり、左右前後が壁４１，３２，３３，３２で囲まれた直方体の空間になっている。納骨堂Ａ２内には骨壺を置く納骨棚４２が設置され、納骨堂Ａ２の底の部分は、コンクリートで固めずに土になっている場合が多い。
【００２０】
前述したように、納骨堂Ａ２の左右には空間部Ａ１が形成されている。２つの空間部Ａ１も納骨堂Ａ２と同様に直方体の形状で、左右前後が壁３１，３２，３３，３４で囲まれている。従来の墓の下部構造はこのように、納骨堂Ａ２の空間に加え、その左右に空間部Ａ１が形成されていることにより、墓全体の耐震強度が低下している。
【実施例１】
【００２１】
次に本考案の第１の実施例を図５と図６を用いて説明する。図５は、本考案の第１の実施例である墓１の下部構造を示す斜視図であり、図６は、図５に示す墓１の下部構造の平面図である。
【００２２】
図５と図６に示すように、納骨堂Ａ２の左右の空間部Ａ１の対向する面に鉄筋５０を固定する。本実施例では、各空間部Ａ１の横手（短手）方向の内壁面３１と、それに対面する内壁面３２に３本の鉄筋５０を固定する。鉄筋５０の材料は、純粋な鉄に限らず、合金鋼（例えばステンレス）などであってもよい。また、固定する鉄筋５０の本数は３本に限らず、空間部Ａ１の大きさによって適宜、本数を変更する。
【００２３】
鉄筋５０は、例えば、テーパーネジ加工を施した鉄筋５０を使用して、内壁面３１と３２に固定してもよい。この固定にはナット状の定着金物５２が使用される。ナット状の定着金物５２を予め石材で構成されている左右の外柵３の内壁面３１に穿った孔と、対面する内壁面３２に穿った孔に嵌め込み、接着剤で固定し、このナット状の定着金物５２にテーパーネジ加工を施した鉄筋５０をねじ込むことで固定することができる。このとき、内壁面３１と３２に直交するように鉄筋５０を固定する。
【００２４】
または、ナット状の定着金物５２を使用せず、直接、内壁面３１と３２に穿った孔に鉄筋５０の一端部を嵌め、対面する内壁面３２に穿った孔に鉄筋５０の他端部を嵌めて接着剤で固定してもよい。この場合、内壁面３１に穿った孔の底部から内壁面３２に穿った孔の底部までの長さは、鉄筋５０の長さよりも若干長くする。そうすることで、鉄筋５０の両端部を内壁面３１と３２の孔に嵌め込むことができる。鉄筋５０を内壁面３１と３２に固定する方法は上記の方法に限定されず、いかなる方法で固定してもよい。
【００２５】
また、鉄筋５０の代わりに鉄鎖６０を使用することもできる（図示せず）。図７は、内壁面３１（固定部分のみ示す）に一端が固定された鉄鎖を示す説明図である。鉄鎖６０は図７に示すように、例えば長さや張力の調整が可能なターンバックル６１がついた鉄鎖６０を使用する。また、鉄筋５０と同様に、鉄鎖６０の材料も純粋な鉄に限らず、合金鋼等であってもよい。鉄鎖６０は、例えば頭部が輪状のボルト（アイボルト）６２を内壁面３１にねじ込み，接着剤で固定して、その輪状部分に鉄鎖６０を通して固定することができる。このとき、内壁面３１と直交するように鉄鎖６０を固定する。鉄鎖６０の他端部についても同様に内壁面３２と直交するように固定する。鉄鎖６０の内壁面３１、３２への固定は、この方法に限定されず、いかなる方法を使用してもよい。
【００２６】
このように鉄筋５０を納骨堂の左右に空間部Ａ１に固定することで、鉄筋５０が空間部Ａ１の左右に対面する面をつなぎ、強固に支えることで、耐震強度を高めることができる。特に左右に揺れるような地震に対して耐震強度を高めることができる。さらに、空間部Ａ１にコンクリートを打設する場合には、鉄筋５０は地中梁のような効果を奏する。また、鉄鎖６０を空間部Ａ１に固定することで、対向する面の間に張力が働き、それらの面の間隔が広がらないように固定することができ、特に左右に揺れるような地震に対して耐震強度を高めることができる。さらに耐震強度を高めるために、図５、６に示すように、鉄筋５０と併用して、Ｌ字型のコーナー金具５１を空間部Ａ１の四隅や側壁にボルト締めして固定してもよい。
【実施例２】
【００２７】
次に本考案の第２の実施例を、図８を用いて説明する。図８は、本考案の第２の実施例である墓１の下部構造を示す平面図である。
【００２８】
図８に示すように、納骨堂Ａ２の左右の各空間部Ａ１の長手方向の内壁面３３と、それに対面する内壁面３４に２本の鉄筋５０を固定する。実施例１と同様に、鉄筋５０の材料は、純粋な鉄に限定されず、合金鋼などであってもよい。また、固定する鉄筋５０の本数は２本に限らず、何本でもよい。
【００２９】
実施例１と同様に、鉄筋５０は、テーパーネジ加工を施した鉄筋５０とナット状の定着金物５２を使用して、内壁面３３と３４に直交するように固定することができる。鉄筋５０を内壁面３３と３４に固定する方法はこの方法に限定されず、いかなる方法で固定してもよい。また、鉄筋５０の代わりに鉄鎖６０（図７）を使用することもできる（図示せず）。その固定方法等は実施例１と同様であるため、説明を省略する。
【００３０】
このように鉄筋５０を空間部Ａ１に固定することで、鉄筋５０が空間部Ａ１の前後に対面する面をつなぎ、強固に支えることで、耐震強度を高めることができる。特に前後に揺れるような地震に対して耐震強度を高めることができる。さらに、空間部Ａ１にコンクリートを打設する場合には、鉄筋５０は地中梁のような効果を奏する。また、鉄鎖６０を空間部Ａ１に固定することで、対向する面の間に張力が働き、それらの面の間隔が広がらないように固定することができ、特に前後に揺れるような地震に対して耐震強度を高めることができる。実施例１と同様に、鉄筋５０と併用して、Ｌ字型のコーナー金具５１を空間部Ａ１の四隅や側壁にボルト締めして固定してもよい。
【００３１】
一般に、地震は、特定の方向に揺れるのではなく、左右前後のあらゆる方向に揺れることが多いため、鉄筋５０を空間部Ａ１の長手方向（図８）と短手方向（図６）の両方向に入れ、それぞれ対向する面に固定することで、さらに耐震強度を高めることができる。
【実施例３】
【００３２】
本考案の第３の実施例を、図９を用いて説明する。図９は、本考案の第３の実施例である墓１の下部構造を示す平面図である。
【００３３】
図９に示すように、納骨堂Ａ２の空間部の短手方向の内壁面３２と、それに対面する内壁面３２に２本の鉄筋５０を固定する。納骨堂Ａ２の空間部には、骨壺を入れるため、骨壺の出し入れの際に妨げにならない箇所に鉄筋５０を固定する。図９に示す例では、骨壺を置く納骨棚４２の下に鉄筋５０を１本固定し、納骨堂Ａ２の前面壁４１付近の下部に、もう１本を固定している。固定する鉄筋５０の本数は２本に限らず、骨壺の出し入れの際に妨げにならない箇所であれば、何本でもよい。また、実施例１、２と同様に、鉄筋５０の材料は、純粋な鉄に限定されず、合金鋼などであってもよい。
【００３４】
鉄筋５０や鉄鎖６０（図示せず）の固定方法等は実施例１と同様であるため、説明を省略する。空間部Ａ１に鉄筋５０（又は鉄鎖６０）を固定することに加え、納骨堂Ａ２の空間部にも鉄筋５０（又は鉄鎖６０）を固定することで、さらに、耐震強度を高めることができる。また、実施例１、２と同様に、鉄筋５０と併用して、Ｌ字型のコーナー金具５１を納骨堂Ａ２の空間部の四隅や側壁にボルト締めして固定することで、より耐震強度を高めることができる。
【００３５】
図９では、納骨堂Ａ２の空間部の短手方向に鉄筋５０を固定しているが、長手方向に鉄筋５０を固定してもよく、さらには短手方向と長手方向の両方向に鉄筋５０を固定してもよい。鉄筋５０を納骨堂Ａ２の空間部の両方向に入れ、それぞれ対向する面に固定することで、左右前後のあらゆる方向に揺れるような地震に対しても耐震性を確保することができる。
【００３６】
以上、実施例１〜３で説明してきたように、鉄筋５０を納骨堂の左右の空間部Ａ１や納骨堂Ａ２の空間部に固定することで、鉄筋５０が空間部の対面する面をつなぎ、強固に支えることで、耐震強度を高めることができる。また、鉄鎖６０を空間部Ａ１や納骨堂Ａ２の空間部に固定することで、対向する面の間に張力が働き、それらの面の間隔が広がらないように固定することができ、耐震強度を高めることができる。
【００３７】
なお、上述した実施例の墓は一例であり、その構成は、考案の趣旨を逸脱しない範囲で、適宜変更可能である。例えば、鉄筋５０や鉄鎖６０を有する空間部Ａ１にコンクリートを打設したり、土や石を敷き詰めたりすることも可能である。また、納骨堂Ａ２の前後にも空間があるような大きな墓の場合には、その空間においても鉄筋５０や鉄鎖６０を固定することも可能である。
【符号の説明】
【００３８】
１…墓、２…他の石碑、３…左右の外柵、４…親柱、５…灯篭、６…墓誌、７…香炉、８…花立て、９…塔婆立、１０…石碑、１１…竿石（墓石）、１２…上台、１３…中台、１４…芝台、２０…拝石、２１…敷石、２２…前外柵、２３…後外柵、３０…基礎、３１，３２，３３，３４，４１…内壁面、４２…納骨棚、５０…鉄筋、５１…Ｌ字型のコーナー金具、５２…定着金物、６０…鉄鎖、６１…ターンバックル、６２…輪状のボルト、Ａ１…空間部、Ａ２…納骨堂。
【図１】
0003191114.tif 000003
【図２】
0003191114.tif 000004
【図３】
0003191114.tif 000005
【図４】
0003191114.tif 000006
【図５】
0003191114.tif 000007
【図６】
0003191114.tif 000008
【図７】
0003191114.tif 000009
【図８】
0003191114.tif 000010
【図９】
0003191114.tif 000011